(57)【要約】      （修正有）【課題】スムーズに装着できるとともに液密性を維持することができ、さらにカプラへのカプラコネクタ（本体）の挿入位置の誤認も防ぐことができるカプラコネクタを提供する。【解決手段】本体２の内部は、血液処理装置のカプラが装着される内部空間３を有し、本体２は、弾性を有する軟質材料により形成され、前方に先端開口部４が形成され、先端開口部４の後方内面にテーパ部５が形成され、テーパ部５に連続してその後方にストレート部６が形成され、ストレート部６の内径（Ｄ１）を、テーパ部５の略中間部の内径（Ｄ２）よりも小さく形成し、ストレート部６内面とカプラ外面との密着のみで、液密性を維持することができるように形成したカプラコネクタ１。【選択図】図１
0003120496.tif 000002
【実用新案登録請求の範囲】
【請求項１】
本体（２）の内部は、血液処理装置のカプラ（３１）が装着される内部空間（３）を有し、
本体（２）は、弾性を有する軟質材料により形成され、前方に先端開口部（４）が形成され、当該先端開口部（４）の後方内面にテーパ部（５）が形成され、当該テーパ部（５）に連続してその後方にストレート部（６）が形成され、
前記ストレート部（６）の内径（Ｄ１）を、テーパ部（５）の略中間部の内径（Ｄ２）よりも小さく形成し、
前記ストレート部（６）内面とカプラ（３１）外面との密着のみで、液密性を維持することができるように形成した、ことを特徴とするカプラコネクタ（１）。
【請求項２】
前記先端開口部（４）付近の内面は、勾配が比較的急なテーパ（Ｔ１）が形成され、内部空間（３）のテーパ部（５）は、前記テーパ（Ｔ１）と比較して比較的緩やかなテーパ（Ｔ２）が形成されている請求項１に記載のカプラコネクタ（１）。
【請求項３】
本体（３２）の中間部に溝部（３４）を形成し、当該溝部（３４）の前方に凹凸（３５）を形成したカプラ（３１）と、
本体（２）の内部に、前記カプラ（３１）が装着される空間（３）を有し、
本体（２）は、弾性を有する軟質材料により形成され、前方に先端開口部（４）が形成され、当該先端開口部（４）の後方内面にテーパ部（５）が形成され、当該テーパ部（５）に連続してその後方にストレート部（６）が形成され、
前記ストレート部（６）の内径（Ｄ１）を、テーパ部（５）の略中間部の内径（Ｄ２）よりも小さく形成したカプラコネクタ（１）を含み、
カプラコネクタ（１）の本体（２）のストレート部（６）内面とカプラ（３１）の本体（３２）の外面との密着のみで、液密性を維持することができるように形成した、ことを特徴とする医療用具。
【請求項４】
カプラコネクタ（１）の先端開口部（４）より、カプラ（３１）を内部空間（３）に装着するとき、カプラ（３１）は、テーパ（Ｔ２）に沿って、内部空間（３）に侵入し、
本体（２）のストレート部（６）付近の内壁面は、カプラ（３１）の前方部により、若干外側に押し広げられ、
カプラコネクタ（１）自体の反発弾性により、元の寸法に戻ろうとする締め付け圧力により、本体（２）のストレート部（６）の内面とカプラ（３１）の本体（３２）の外面との密着のみで、液密性を維持することができる、ことを特徴とする請求項３に記載の医療用具。
【考案の詳細な説明】
【技術分野】
【０００１】
本考案は、血漿分離器、血漿成分分離器、血液透析器等の血液処理器のカプラ（血漿（成分）、透析液等の出入口ともいう）に接続されるカプラコネクタの改良に関するもので、特に血液処理器のカプラとの液蜜性、装着（挿入）性を良好にしたカプラコネクタ及び医療用具である。
【背景技術】
【０００２】
図５は、従来のカプラコネクタ６１の概略図、図６、図７はそれぞれカプラ８１（血液透析器）、カプラ９１［血漿分離器（血漿成分分離器）］の一例を示す概略図である。
カプラコネクタ６１は、弾性を有する軟質の材料により形成され、図５のように、本体６２の壁面は肉厚に形成され、本体６２の先端開口部６４の後方内面に突起（アンダーカットともいう）６５を形成したものが使用されている。
血液透析器のカプラ８１は、図６のように、本体８２の先端に小径部８３を形成し、中間部に、カプラコネクタ６１の突起６５を係合する環状の溝部８４を形成したものが国際規格で定められて使用されている。
また血漿分離器（血漿成分分離器）のカプラ９１は、図７のように、環状の溝部９４の両側の外周面に、さらに複数の凹凸９５を形成したものが使用されている。
カプラコネクタ６１は、カプラ８１、９１に装着するときは、図８のように、突起６５が、カプラ９１（８１）の前方部分を乗り越えて、溝部９４（８４）に係合し、本体６２の軟らかい内面がカプラ９１（８１）の外面に密着することにより、液密性を維持できるようにしている。
ところがカプラコネクタ６１は、カプラ９１に装着する場合、内面の突起６５が、溝部９４に係合する前に、凹凸９５に突き当たるため、作業者がカプラ９１への適正な装着（挿入）位置を誤認しやすかった。装着（挿入）位置がずれると、液密性を維持できない場合があった。
【０００３】
なお特許文献１（特開２００５−３４２１２６）には、カプラコネクタを弾性を有する樹脂材料で成形し、さらにダイアライザ（血液透析器）の流入口または流出口（カプラ）に弾性を利用して嵌合させる旨、さらにカプラコネクタの液体流路の側壁が段差のないように連続的に形成し、透析液がカプラコネクタの内部で滞留するのを防止する旨が開示されている。
また特許文献２（特開平１１−５７４１９）には、カプラコネクタの内面をテーパに形成し、カプラの径に影響なくシールできる旨が開示されている。
【特許文献１】特開２００５−３４２１２６号公報（請求項１、３、図１参照）
【特許文献２】特開平１１−５７４１９号公報（請求項３、［００３９］）
【考案の開示】
【考案が解決しようとする課題】
【０００４】
本考案が解決しようとする問題点は、外周面に複数の凹凸９５を形成したカプラ９１に、内面に突起６５を形成したカプラコネクタ６１を装着する場合、突起６５が、溝部９４に係合する前に、凹凸９５に突き当たるため、作業者がカプラ９１への適正な装着（挿入）位置を誤認しやすい点である。
なお特許文献１、２には、これらの課題と当該を解決する手段については、記載ないし示唆されていない。特許文献１、２に記載の発明を組み合わせても当該課題は解決できない。
【課題を解決するための手段】
【０００５】
そこで本考案者は、以上の課題を解決するために鋭意検討を重ねた結果、以下の考案に到達した。
［１］本考案は、本体（２）の内部は、血液処理装置のカプラ（３１）が装着される内部空間（３）を有し、
本体（２）は、弾性を有する軟質材料により形成され、前方に先端開口部（４）が形成され、当該先端開口部（４）の後方内面にテーパ部（５）が形成され、当該テーパ部（５）に連続してその後方にストレート部（６）が形成され、
前記ストレート部（６）の内径（Ｄ１）を、テーパ部（５）の略中間部の内径（Ｄ２）よりも小さく形成し、
前記ストレート部（６）内面とカプラ（３１）外面との密着のみで、液密性を維持することができるように形成したカプラコネクタ（１）を提供する。
［２］本考案は、前記先端開口部（４）付近の内面は、勾配が比較的急なテーパ（Ｔ１）が形成され、内部空間（３）のテーパ部（５）は、前記テーパ（Ｔ１）と比較して比較的緩やかなテーパ（Ｔ２）が形成されている［１］に記載のカプラコネクタ（１）を提供する。
［３］本考案は、本体（３２）の中間部に溝部（３４）を形成し、当該溝部（３４）の前方に凹凸（３５）を形成したカプラ（３１）と、
本体（２）の内部に、前記カプラ（３１）が装着される空間（３）を有し、
本体（２）は、弾性を有する軟質材料により形成され、前方に先端開口部（４）が形成され、当該先端開口部（４）の後方内面にテーパ部（５）が形成され、当該テーパ部（５）に連続してその後方にストレート部（６）が形成され、
前記ストレート部（６）の内径（Ｄ１）を、テーパ部（５）の略中間部の内径（Ｄ２）よりも小さく形成したカプラコネクタ（１）を含み、
カプラコネクタ（１）の本体（２）のストレート部（６）内面とカプラ（３１）の本体（３２）の外面との密着のみで、液密性を維持することができるように形成した医療用具を提供する。
［４］本考案は、カプラコネクタ（１）の先端開口部（４）より、カプラ（３１）を内部空間（３）に装着するとき、カプラ（３１）は、テーパ（Ｔ２）に沿って、内部空間（３）に侵入し、
本体（２）のストレート部（６）付近の内壁面は、カプラ（３１）の前方部により、若干外側に押し広げられ、
カプラコネクタ（１）自体の反発弾性により、元の寸法に戻ろうとする締め付け圧力により、本体（２）のストレート部（６）の内面とカプラ（３１）の本体（３２）の外面との密着のみで、液密性を維持することができる［３］に記載の医療用具を提供する。
【考案の効果】
【０００６】
本考案のカプラコネクタ１は、従来のカプラコネクタ６１の内面の突起６５を削除し、先端開口部４の後方内面にテーパ部５を形成し、当該テーパ部５に連続してその後方にストレート部６が形成し、ストレート部６の内径Ｄ１を、テーパ部５の略中間部の内径Ｄ２よりも小さく形成しているので、カプラ３１に装着するとき、溝部３４の前方の凹凸３５に、引っ掛かることなく、スムーズに装着でき、カプラコネクタ１（本体２）の内壁面とカプラ３１（本体３２）の外面の密着のみで、液密性を維持することができる。
またカプラ３１へのカプラコネクタ１（本体２）の挿入位置の誤認も防ぐことができる。（従来のカプラコネクタ６１のように、作業者がカプラ９１への適正な装着（挿入）位置を誤認することはない。）
【考案を実施するための最良の形態】
【０００７】
［カプラコネクタ１］
図１は、本考案のカプラコネクタの断面図、図２はカプラコネクタの一部切欠断面図、図３は図２のＡ矢視図である。
図１及び図２に例示するように、本考案のカプラコネクタ１は、弾性を有する軟質の材料により形成され、略円筒状の本体２を有し、本体２の内部は、（血液処理装置の）カプラ３１が装着される内部空間３を有する。
本体２は前方に先端開口部４が形成され、先端開口部４の後方内面にテーパ部５が形成され、さらにテーパ部５に連続してストレート部６が形成されている。
先端開口部４付近の内面は、勾配が比較的急なテーパＴ１が形成され、内部空間３のテーパ部５は（前記テーパＴ１と比較して）比較的緩やかなテーパＴ２形成されている。
さらにストレート部６の後方内面に段部７が形成され、段部７の後方に底部８が形成され、底部８の後方にチューブ接続部１０が形成されている。
底部８には液体通路９が形成され、本体２の内部空間３［に装着された血液処理装置のカプラ３１］とチューブ接続部１０を連通している。
本体２は、ストレート部６の内径Ｄ１を、テーパ部５の略中間部の内径Ｄ２よりも
小さく形成している。
また本体２には、必要に応じて、連結部２３を介して、キャップ２１を装着しても良い。キャップ２１は、少なくとも略筒状の本体２２と蓋２４を有するものであれば何でも良い。
【０００８】
［カプラコネクタ１とカプラ３１の装着］
図４に例示するように、カプラコネクタ１の先端開口部４より、カプラ３１を内部空間３に装着するとき、カプラ３１の前方部（細径部３３と凹凸３５）は、引っ掛かることなく、テーパＴ１、テーパＴ２に沿って、スムーズに内部空間３に侵入する。
本体２のストレート部６付近の内壁面は、カプラ３１の前方部（細径部３３と凹凸３５）により、若干外側に押し広げられ、カプラコネクタ１自体の反発弾性により、元の寸法に戻ろうとする締め付け圧力が作用するので、カプラコネクタ１（本体２）のストレート部６の内面とカプラ３１（本体３２）の外面との密着のみで、液密性を維持することができる。さらにカプラ３１へのカプラコネクタ１（本体２）の挿入位置の誤認も防ぐことができる。
【図面の簡単な説明】
【０００９】
【図１】本考案のカプラコネクタの断面図
【図２】本考案のカプラコネクタの一部切欠断面図
【図３】図２のＡ矢視図
【図４】本考案のカプラコネクタをカプラに装着（挿入）したところの概略図
【図５】従来のカプラコネクタの断面図
【図６】カプラの概略図
【図７】カプラの概略図
【図８】従来のカプラコネクタをカプラに装着（挿入）したところの概略図
【符号の説明】
【００１０】
１、６１  カプラコネクタ
２、６２  本体
３  内部空間
４  先端開口部
５  テーパ部
６５  突起（アンダーカット）
６  ストレート部
７  段部
８  底部
９  液体流路
１０  チューブ接続部
２１  キャップ
２２  本体
２３  連結部
２４  蓋
３１、８１、９１  （血液処理装置の）カプラ
３２、８２、９２  本体
３３、８３、９３  小径部
３４、８４、９４（環状の）溝部
３５、９５  凹凸
【図１】
0003120496.tif 000003
【図２】
0003120496.tif 000004
【図３】
0003120496.tif 000005
【図４】
0003120496.tif 000006
【図５】
0003120496.tif 000007
【図６】
0003120496.tif 000008
【図７】
0003120496.tif 000009
【図８】
0003120496.tif 000010